(57)【要約】【課題】空間に分散された、利用者が手に取って使える媒体を介し、情報の書き込みと読み出しの機能を区別して、利用者端末での操作を簡便にし、利用者の意思に沿った画面を利用者端末に最初から提示する。【解決手段】利用者が利用者端末装置２を用いて物理オブジェクト１上の書き込み用タグ１１のコードを読み取ってメッセージを作成すると、このメッセージが送信される。データ管理サーバ３は、利用者端末装置２からのメッセージを受信すると、これをメッセージデータベースに登録する。また、相手の利用者が利用者端末装置２を用いて同じ物理オブジェクト１上の読み出し用タグ１２のコードを読み取ると、読み出し要求信号が送信される。データ管理サーバ３は、利用者端末装置２からの要求信号を受信すると、管理しているメッセージをデータベースから読み出して相手の利用者端末装置２に送信する。【選択図】      図１
2008225892.tif 000002
【特許請求の範囲】
【請求項１】
利用者により手に取って使用可能なタグ付物理媒体、利用者端末装置およびサーバ装置を有するメッセージ通信システムであって、
前記タグ付物理媒体は、
当該タグ付物理媒体ごとに固有のメッセージ書き込み用タグおよびメッセージ読み出し用タグを有し、当該タグは、当該タグが書き込み用のタグであるか読み出し用のタグであるかが視覚的に区別可能であり、
前記利用者端末装置は、
前記タグ付物理媒体の各タグのコードを読み取る読み取り手段と、
前記読み取り手段により読み取ったコードを復号する復号手段と、
前記読み取り手段により前記メッセージ書き込み用タグのコードを読み取って、前記復号手段により当該コードを復号した場合のメッセージの入力を受け付ける入力手段と、
前記入力手段により入力したメッセージを前記サーバ装置に送信する第１の送信手段と、
前記読み取り手段により前記メッセージ読み出し用タグのコードを読み取って、前記復号手段により当該コードを復号した場合に、メッセージの読み出し要求信号を前記サーバ装置に送信する第２の送信手段と、
前記サーバ装置から送信されたメッセージを出力する出力手段とを備え、
前記サーバ装置は、
前記利用者端末装置の第１の送信手段により送信されたメッセージを管理する管理手段と、
前記利用者端末装置の第２の送信手段により送信された読み出し要求信号を受信する受信手段と、
前記受信手段により前記読み出し要求信号を受信した場合に、当該メッセージを前記利用者端末装置に送信する送信手段とを備えた
ことを特徴とするメッセージ通信システム。
【請求項２】
前記タグ付物理媒体のメッセージ書き込み用タグのコードは、前記サーバ装置の通信先アドレスを含み、
前記第１の送信手段は、
前記入力手段により入力したメッセージを前記通信先アドレスに対応する前記サーバ装置に送信する
ことを特徴とする請求項１に記載のメッセージ通信システム。
【請求項３】
前記タグ付物理媒体のメッセージ読み出し用タグのコードは、前記サーバ装置の通信先アドレスを含み、
前記第２の送信手段は、
前記読み出し要求信号を前記通信先アドレスに対応する前記サーバ装置に送信する
ことを特徴とする請求項１に記載のメッセージ通信システム。
【請求項４】
前記サーバ装置の前記管理手段は、前記利用者端末装置により送信されたメッセージを当該メッセージの管理開始時刻と対応付けて管理し、
前記管理手段により管理する管理開始時刻からの経過時間が予め定められた時間となった際に当該管理開始時刻と対応するメッセージを消去する消去手段をさらに備えた
ことを特徴とする請求項１記載のメッセージ通信システム。
【請求項５】
前記メッセージ書き込み用タグとメッセージ読み出し用タグとを、前記タグ付物理媒体における、それぞれのタグが書き込み用、読み出し用のいずれかであるかを視覚的に同時に区別可能な位置に有する
ことを特徴とする請求項１記載のメッセージ通信システム。
【請求項６】
前記タグ付物理媒体の前記メッセージ書き込み用タグとメッセージ読み出し用タグの位置が当該タグ付物理媒体における同一平面上にある
ことを特徴とする請求項１記載のメッセージ通信システム。
【発明の詳細な説明】
【技術分野】
【０００１】
本発明は、文字、画像、音声といったメッセージの送受信を行なうメッセージ通信システムに関する。
【背景技術】
【０００２】
従来、プロフェッショナルではない一般の人でも、容易にテキスト、画像、ゲーム、音楽、動画など、さまざまなデジタルコンテンツを作成し、インターネット配信することができるようになっている。
【０００３】
最近、そのようなコンテンツをオンラインでなく、公共の場所などの現実空間において扱う取り組みが始められている。このような取り組みでは、コンテンツを利用する物理的状況がコンテンツ利用手段やその機能にどのような影響を与えるのかが注目されている。
【０００４】
例えば非特許文献１に開示されるような「place blogging（場所依存型ブログ）」では、物理的なある場所において利用者がコンテンツを登録する。これらのコンテンツは、その場所に利用者が存在することを仮想的なキーとして検索、読み出しされ、閲覧が可能となる。
【０００５】
例えば、博物館において、ある展示物について誰かが残したメッセージを、同じその展示物の前に後日訪れた別の人が閲覧することが可能となる。
【０００６】
【非特許文献１】Churchill, E. F., Nelson, L. and HＳieh, G. Cafe life in the digital age: augmenting information flow in a cafe-work-entertainment space, In Extended Abstract of CHI 2006, ACM Press （2006）, 123-128
【発明の開示】
【発明が解決しようとする課題】
【０００７】
しかしながら、前述したPlace bloggingでは、公共空間で分散利用可能で利用者がタンジブル（tangible）に、つまり手に取って使える媒体を情報の登録や閲覧のために用いておらず、これら登録や閲覧を行なえる箇所が固定されているので、メッセージを登録した場所に相手が移動できない場合のコミュニケーションに用いることはできない。また、コミュニケーションを成立させるためには、ある利用者による情報の書き込みおよび当該書き込んだ情報の他の利用者による読み出しが必要であるが、前述したPlace bloggingでは、機能が情報の書き込みと読み出しとで区別されていない。
【０００８】
また、従来よりＱＲコード（登録商標）などの二次元コードを雑誌や広告媒体に印刷して用いる方法があるが、前述したPlace bloggingと同様、機能をディジタル情報の書き込みと読み出しとで区別していない。このように機能が区別されていない場合、利用者に対して書き込みと読み出しを選択するための操作が必要となり、機器の構成が複雑となる。また、機能の選択のための新規のソフトウェアを実装する必要がでてきてしまう。加えて、二次元コードを前述したように用いた場合登録したい情報をバーコード化して印刷する必要があるので、扱える情報の種別や容量が限られてしまう。
【０００９】
そこで、本発明の目的は、空間に分散された、利用者が手に取って使える媒体を介し、情報の書き込みと読み出しの機能を区別して、利用者端末での操作を簡便にし、利用者の意思に沿った画面を利用者端末に最初から提示することが可能になるメッセージ通信システムを提供することにある。
【課題を解決するための手段】
【００１０】
すなわち、本発明に係わるメッセージ通信システムは、利用者により手に取って使用可能なタグ付物理媒体、利用者端末装置およびサーバ装置を有するメッセージ通信システムであって、タグ付物理媒体は、当該タグ付物理媒体ごとに固有のメッセージ書き込み用タグおよびメッセージ読み出し用タグを有し、当該タグは、当該タグが書き込み用のタグであるか読み出し用のタグであるかが視覚的に区別可能であり、利用者端末装置は、タグ付物理媒体の各タグのコードを読み取る読み取り手段と、この読み取ったコードを復号する復号手段と、読み取り手段によりメッセージ書き込み用タグのコードを読み取って、復号手段により当該コードを復号した場合のメッセージの入力を受け付ける入力手段と、入力手段により入力したメッセージをサーバ装置に送信する第１の送信手段と、読み取り手段によりメッセージ読み出し用タグのコードを読み取って、復号手段により当該コードを復号した場合に、メッセージの読み出し要求信号をサーバ装置に送信する第２の送信手段と、サーバ装置から送信されたメッセージを出力する出力手段とを備え、サーバ装置は、利用者端末装置により送信されたメッセージを管理する管理手段と、利用者端末装置の第２の送信手段により送信された読み出し要求信号を受信した場合に、当該メッセージを利用者端末装置に送信する送信手段とを備えたことを特徴とする。
【発明の効果】
【００１１】
本発明によれば、空間に分散された、利用者が手に取って使える媒体を介し、情報の書き込みと読み出しの機能を区別して、利用者端末での操作を簡便にし、利用者の意思に沿った画面を利用者端末に最初から提示することができる。
【発明を実施するための最良の形態】
【００１２】
以下図面により本発明の実施形態について説明する。  
図１は、本発明の実施形態にしたがったメッセージ通信システムの物理オブジェクトおよび利用者端末装置の構成例を示すブロック図である。  
図２は、本発明の実施形態にしたがったメッセージ通信システムのデータ管理サーバの構成例を示すブロック図である。図３は、本発明の実施形態にしたがったメッセージ通信システムの物理オブジェクトの外観の一例を示す図である。
【００１３】
本発明の実施形態にしたがったメッセージ通信システムは、タンジブル方式、つまり、実際に手に触れられる物理媒体を用いたメッセージ通信システムであり、図１、図２、図３に示すように、物理オブジェクト１、利用者端末装置２およびデータ管理サーバ３を有する。
【００１４】
物理オブジェクト１は、公共空間で分散利用可能で利用者が手に取って携帯可能な物理媒体であり、メッセージ書き込み用タグ１１とメッセージ読み出し用タグ１２を有する。つまり、物理オブジェクト１はタグ付物理媒体である。
【００１５】
図３に示すように、物理オブジェクト１上では、メッセージ書き込み用タグ１１の位置に「ｗｒｉｔｅ」との文字が印刷され、メッセージ読み出し用タグ１２の位置に「ｒｅａｄ」との文字が印刷されている。つまり利用者がメッセージ書き込み用タグ１１とメッセージ読み出し用タグ１２を視覚的に区別できるようになっている。
【００１６】
メッセージ書き込み用タグ１１は物理オブジェクトごとに固有の識別情報である物理オブジェクトＩＤを含むメッセージ書き込み用のコードを表すタグである。また、メッセージ読み出し用タグ１２は物理オブジェクトＩＤを含むメッセージ読み出し用のコードを表すシール状のタグである。これらのタグのコードはＱＲコードなどの二次元コードで表される。
【００１７】
物理オブジェクトＩＤは数字にアルファベット１文字が続いて構成される。同じ物理オブジェクト１におけるメッセージ書き込み用タグ１１で示される物理オブジェクトＩＤとメッセージ読み出し用タグ１２で示される物理オブジェクトＩＤの数字部分は同じである。また、メッセージ書き込み用タグ１１で示される物理オブジェクトＩＤのアルファベット１文字は「Ｗ」であり、メッセージ読み出し用タグ１２で示される物理オブジェクトＩＤのアルファベット１文字は「Ｒ」である。
【００１８】
この実施形態では、物理オブジェクト１は、図３に示すように葉っぱの形状をしたカード型の物理媒体であり、この表面にメッセージ書き込み用タグ１１およびメッセージ読み出し用タグ１２を有する。
【００１９】
このシステムでは、利用者端末装置２が、物理オブジェクト１のメッセージ書き込み用タグ１１のコードを読み取った後で入力したメッセージをデータ管理サーバ３に送信し、当該データ管理サーバ３がこのメッセージを管理する。
【００２０】
また、利用者端末装置２は、物理オブジェクト１のメッセージ読み出し用タグ１２のコードを読み取ると、メッセージ読み出し要求信号をデータ管理サーバ３に送信する。データ管理サーバ３は要求信号を受信すると、管理しているメッセージを要求元の利用者端末装置２に送信する。
【００２１】
メッセージ書き込み用タグ１１のコードには、利用者による登録対象のメッセージの管理先であるデータ管理サーバ３のメールアドレスが埋め込まれ、メッセージ読み出し用タグ１２のコードには、読み出し対象のメッセージのアクセス先のデータ管理サーバ３のＵＲＬが埋め込まれる。
【００２２】
なお、物理オブジェクト１の大きさ、形状、材質は特に限定されるものではない。また、メッセージ書き込み用タグ１１やメッセージ読み出し用タグ１２に添付するコードは二次元コード以外の視覚的なコードや無線タグであってもよい。
【００２３】
また、物理オブジェクト１は、メッセージ書き込み用タグ１１とメッセージ読み出し用タグ１２を当該物理オブジェクト１の同一平面に有し、利用者がメッセージ書き込み用タグ１１とメッセージ読み出し用タグ１２の違いを同時に視認できるようになっている。  
これにより、読み取り対象のコードの種別が変わるたびに、当該コードが表面にくるように物理オブジェクト１を利用者が裏返す必要が無くなる。
【００２４】
また、図１に示すように、利用者端末装置２は、物理オブジェクトインタフェース部２１、メッセージ作成部２２、メッセージ提示部２３および通信部２４を備える。メッセージ作成部２２はメッセージの入力手段であり、通信部２４は第１送信部２７および第２送信部２８を備える。  
ここでは、利用者端末装置２は携帯電話機である。物理オブジェクトインタフェース部２１は、物理オブジェクト１の各タグのコードの読み取りおよび復号を行なう。具体的には、物理オブジェクトインタフェース部２１は読み取り部２５および復号部２６を備える。読み取り部２５はカメラを有し、このカメラで物理オブジェクト１の各タグのコードを撮影する。復号部２６は、この撮影したコードを復号する。つまり物理オブジェクトインタフェース部２１はコードの読み取り手段および復号手段である。
【００２５】
メッセージ作成部２２は、キーボードやマイクロホンを有する入力手段であり、このキーボードへの文字入力操作、当該キーボードへの入力操作に従った利用者端末装置２の図示しない記憶装置に記憶される画像情報の指定、もしくはマイクロホンへの音声入力にしたがってメッセージを生成する。
【００２６】
メッセージ提示部２３は、ディスプレイ装置やスピーカ装置を有する出力手段であり、データ管理サーバ３からの文字、画像、音声といったメッセージを利用者に提示する。
【００２７】
また、図２に示すように、データ管理サーバ３は、利用者端末装置２との通信を行う通信部３１およびメッセージ管理部３２を備える。通信部３１は受信部３８および送信部３９を備える。メッセージ管理部３２はメッセージの管理手段である。  
メッセージ管理部３２は、メッセージ書き込み部３３、メッセージ読み出し部３４、メッセージ消去部３５、メッセージ登録時刻管理部３６および記憶装置３７を備える。
【００２８】
図４は、本発明の実施形態にしたがったメッセージ通信システムのデータ管理サーバの記憶装置に記憶されるメッセージデータベースの構成例を表形式で示す図である。  
記憶装置３７は不揮発性メモリなどの記憶媒体であって、図４に示した構成のメッセージデータベースを記憶する。  
メッセージデータベースは、読み出しコード、書き込みコード、メッセージ登録時刻およびメッセージ内容を管理するためのデータベースである。
【００２９】
この読み出しコードは、物理オブジェクト１のメッセージ読み出し用タグ１２のコードを利用者端末装置２が復号して得られる物理オブジェクトＩＤである。  
また、書き込みコードは、物理オブジェクト１のメッセージ書き込み用タグ１１のコードを利用者端末装置２が復号して得られる物理オブジェクトＩＤである。  
このデータベースでは、数字部分が同じ各種コードにメッセージ登録時刻およびメッセージ内容が対応付けて管理される。
【００３０】
メッセージの内容は、利用者端末装置２から送信されたメッセージであり、利用者端末装置２からの読み出し要求信号にしたがって利用者端末装置２への送信対象となるメッセージである。このデータベースで管理するメッセージ内容は、当該メッセージが文字である場合には、その全文であり、画像や音声データである場合には、当該データファイルのファイル名である。メッセージが画像や音声データである場合には、このデータファイルはデータ管理サーバの記憶装置３７に保存される。つまり、読み出し対象のデータがメッセージが画像や音声データである場合には、データベース上のファイル名をキーにデータファイルを記憶装置３７から読み出すことになる。
【００３１】
メッセージ登録時刻は、利用者端末装置２から送信されたメッセージの当該メッセージデータベースにおける管理開始時刻である。
メッセージ書き込み部３３は、利用者端末装置２からのメッセージの内容を記憶装置３７のメッセージデータベースに書き込む。  
また、メッセージ読み出し部３４は、利用者端末装置２からの読み出し要求信号にしたがって、記憶装置３７のメッセージデータベースからメッセージを読み出す。  
このデータベースでは、１つの物理オブジェクト１に関わる登録可能なメッセージ内容の数は１つであるとする。
【００３２】
メッセージ消去部３５は、記憶装置３７のメッセージデータベースで管理されるメッセージのうち、当該メッセージデータベース上で対応付けられる登録時刻から予め定められた時間が経過したメッセージを消去する。
【００３３】
この場合、メッセージ書き込み部３３、メッセージ読み出し部３４は、記憶装置３７のメッセージデータベースを参照して有効期限切れのメッセージの有無を判定し、該当するメッセージが存在する場合には、メッセージ消去部３５がメッセージデータベースから該当メッセージの登録を消去する。  
メッセージ登録時刻管理部３６は現在時刻を計時し、メッセージデータベースへのメッセージの登録時の現在時刻がメッセージ登録時刻となる。
【００３４】
次に、ここまで示した構成のメッセージ通信システムの動作について説明する。まず、メッセージの書き込み時の処理について説明する。図５は、本発明の実施形態にしたがったメッセージ通信システムによるメッセージ書き込み処理の一例を示すフローチャートである。
【００３５】
まず、利用者が物理オブジェクト１および利用者端末装置２を手に取って物理オブジェクトインタフェース部２１の一部であるカメラをメッセージ書き込み用タグ１１に近接させた上で、利用者端末装置２のメッセージ入力部２２のキーボードへの予め定められた入力操作を行なうと、物理オブジェクトインタフェース部２１の読み取り部２５は、物理オブジェクト１上のメッセージ書き込み用タグ１１のコードを読み取り、復号部２６は、この読み取ったコードを復号して、この復号して得た物理オブジェクトＩＤのアルファベット部分を参照することで、当該復号したコードが読み出し用のコードか書き込み用のコードかを判断する。復号部２６は、物理オブジェクトＩＤのアルファベット部分が「Ｗ」である場合には当該復号したコードが書き込み用のコードであると判断し、当該コードに含まれるデータ管理サーバ３のメールアドレスおよび書き込みコードを取得する（ステップＳ１）。
【００３６】
利用者がメッセージ作成部２２への操作により書き込み用のメッセージの作成または指定を行なうと、通信部２４の第１送信部２７は、このメッセージおよび前述した取得済みの書き込みコードをデータ管理サーバ３のメールアドレス宛てに送信する（ステップＳ２）。
【００３７】
データ管理サーバ３の通信部３１の受信部３８が、利用者端末装置２からのメッセージおよび書き込みコード、つまり物理オブジェクトＩＤを受信すると（ステップＳ３）、メッセージ管理部３２のメッセージ書き込み部３３は、記憶装置３７に記憶されるメッセージデータベースを読み出して、書き込みコードに関して、予め決められた有効期限内のデータが当該データベースに登録されているか否かを判別する（ステップＳ４）。
【００３８】
メッセージ書き込み部３３は、前述した条件を満たすメッセージがメッセージデータベースに登録されている場合には（ステップＳ５のＹＥＳ）、メッセージの登録が不可能であることを示す文字などのメッセージを通信部３１の送信部３９を介して利用者端末装置２に送信する（ステップＳ６）。
【００３９】
データ管理サーバ３からの登録不可能メッセージを利用者端末装置２の通信部２４が受信すると、メッセージ提示部２３は、受信したメッセージをディスプレイ装置の画面に表示させる。
【００４０】
一方、メッセージ書き込み部３３は、前述した条件を満たすメッセージがメッセージデータベースに登録されていない場合には（ステップＳ５のＮＯ）、メッセージ登録時刻管理部３６が計時する現在時刻を計時し、利用者端末装置２から受信したメッセージおよび該当物理オブジェクトＩＤを、前述した現在時刻を登録時刻とし、当該登録時刻の情報と対応付けて記憶装置３７のメッセージデータベースに登録する（ステップＳ７）。  
そして、メッセージ書き込み部３３は、メッセージの登録完了を示す文字などのメッセージを通信部３１の送信部３９を介して利用者端末装置２に送信する（ステップＳ８）。
【００４１】
データ管理サーバ３からの登録完了メッセージを利用者端末装置２の通信部２４が受信すると、メッセージ提示部２３は、受信したメッセージをディスプレイ装置の画面に表示させる。これにより利用者端末装置２で入力したメッセージがデータ管理サーバ３側に書き込まれたことが利用者が確認できる。
【００４２】
次に、メッセージの読み出し時の処理について説明する。図６は、本発明の実施形態にしたがったメッセージ通信システムによるメッセージ読み出し処理の一例を示すフローチャートである。
【００４３】
まず、別の利用者が物理オブジェクト１および当該利用者が所持する利用者端末装置２を手に取って、物理オブジェクトインタフェース部２１のカメラをメッセージ読み出し用タグ１２に近接させた上で、メッセージ入力部２２のキーボードへの予め定められた入力操作を行なうと、物理オブジェクトインタフェース部２１の読み取り部２５は、物理オブジェクト１上のメッセージ読み出し用タグ１２のコードを読み取り、復号部２６は、この読み取ったコードを復号して、この復号して得た物理オブジェクトＩＤのアルファベット部分を参照することで、当該復号したコードが読み出し用のコードか書き込み用のコードかを判断する。復号部２６は、物理オブジェクトＩＤのアルファベット部分が「Ｒ」である場合には当該復号したコードが読み出し用のコードであると判断し、当該コードに含まれるデータ管理サーバ３のＵＲＬおよび読み出しコードを取得する（ステップＳ１１）。
【００４４】
すると、通信部２４の第２送信部２８は、取得済みの読み出しコードに関わるメッセージの読み出し要求信号を、取得済みのＵＲＬに対応するデータ管理サーバ３に送信する。  
データ管理サーバ３の通信部３１の受信部３８が、利用者端末装置２からのメッセージ読み出し要求信号を受信すると（ステップＳ１２）、メッセージ管理部３２のメッセージ読み出し部３４は、記憶装置３７に記憶されるメッセージデータベースを読み出して、このデータベース上でメッセージ読み出し要求信号で示される読み出しコードと対応付けられ、かつ予め決められた有効期限内のメッセージのデータが当該データベースに登録されているか否かを判別する（ステップＳ１３）。
【００４５】
メッセージ読み出し部３４は、前述した条件を満たすメッセージのデータがメッセージデータベースに登録されていない場合には（ステップＳ１４のＮＯ）、登録済みメッセージデータが存在しないことを示す文字などのメッセージを通信部３１の送信部３９を介して利用者端末装置２に送信する（ステップＳ１５）。
【００４６】
データ管理サーバ３からの、登録済みメッセージデータが存在しないことを示すメッセージを利用者端末装置２の通信部２４が受信すると、メッセージ提示部２３は、受信したメッセージをディスプレイ装置の画面に表示させる。
【００４７】
一方、メッセージ読み出し部３４は、前述した条件を満たすメッセージがメッセージデータベースに登録されている場合には（ステップＳ１４のＹＥＳ）、当該メッセージをメッセージデータベースから読み出す。すると、通信部３１の送信部３９は、このメッセージを利用者端末装置２に送信する（ステップＳ１６）。
【００４８】
データ管理サーバ３からのメッセージを利用者端末装置２の通信部２４が受信すると、メッセージ提示部２３は、受信したメッセージをディスプレイ装置の画面に表示させる。  
これによりデータ管理サーバ３側で管理されるメッセージが相手側の利用者端末装置２に読み出される。  
また、メッセージ管理部３２のメッセージ消去部３５は、あらかじめ設定された一定時間間隔でメッセージデータベース内の有効期限切れメッセージを消去する。
【００４９】
以上のように、本発明の実施形態にしたがったメッセージ通信システムでは、手に取って携帯可能な物理オブジェクト１を用いて書き込みや読み出しといった機能の区別が目で見て判る形でメッセージの書き込みや読み出しを行うことで、空間に分散された、利用者が手に取って使える媒体を介し、情報の書き込みと読み出しの機能を区別してディジタル情報によるコミュニケーションを実現することができる。
【００５０】
このようなシステムにおいて、メッセージの書き込みを行なった利用者が当該メッセージを提供したい相手に物理オブジェクト１を渡すようにすれば、物理オブジェクト１をあたかもメッセージを運ぶ仮想的なコンテナのように扱えるようになる。
【００５１】
また、書き込みと読み出しの機能を区別したタグを物理オブジェクト１にそれぞれ備えることにより、利用者端末装置２による書き込みと読み出しの選択操作を不要とすることができるので、当該利用者端末装置２の機構を簡単にでき、利用者端末装置２での操作を簡便にし、利用者の意思に沿った画面をタグの読み取り後において利用者端末装置２に最初から提示することができる。よって、いわゆるＩＴ弱者と呼ばれる人同士でも気軽にメッセージの伝達を行なうことができる。
【００５２】
加えて、ある利用者から別の利用者への提示対象となるメッセージ自体はデータ管理サーバ３において管理するので、メッセージの種別を文字や画像に限らず音声も対象とすることができ、従来のようにメッセージ自体を二次元コードなどに変換する場合と比較して伝達可能なメッセージの種別が多様となる。また、送受信可能なメッセージの容量はデータ管理サーバ３の記憶装置３７の容量に左右されるものであり、物理オブジェクト１の種別や大きさに左右されない。
【００５３】
例えば、前述したようにタグのコードに二次元コードを用いる場合には、物理オブジェクト１に書き込み用のタグと読み出し用のタグを区別して備えておけば、カメラ、バーコード読み取り機能、電子メール機能、ウェブページ閲覧機能を備える携帯電話機を利用することで、別途専用の機器やソフトウェアを用意する必要なくメッセージの書き込みや読み出しを行うことが可能となる。
【００５４】
さらに、データ管理サーバ３が、書き込まれたメッセージの経過時間に応じてメッセージの消去などを行うメッセージ管理を行うことで、時間に応じた物理オブジェクト１の利用場所におけるメッセージ交換の活性度を計算することができる。
【００５５】
以上説明した実施形態では、物理オブジェクト１のタグとして二次元コードを添付したタグを用いる構成としたが、これに限らず、非接触タグなどを利用してもよい。この揚合、物理オブジェクト１は、電波が互いに干渉し合わない位置に書き込み用と読み出し用のタグをそれぞれ有するようにするとともに、物理オブジェクト１上の各タグの位置にリーダを近接させた場合の機能を示す文字を明記すればよい。
【００５６】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００５７】
【図１】本発明の実施形態にしたがったタンジブルメッセージ通信システムの物理オブジェクトおよび利用者端末装置の構成例を示すブロック図。
【図２】本発明の実施形態にしたがったメッセージ通信システムのデータ管理サーバの構成例を示すブロック図。
【図３】本発明の実施形態にしたがったメッセージ通信システムの物理オブジェクトの外観の一例を示す図。
【図４】本発明の実施形態にしたがったメッセージ通信システムのデータ管理サーバの記憶装置に記憶されるメッセージデータベースの構成例を表形式で示す図。
【図５】本発明の実施形態にしたがったメッセージ通信システムによるメッセージ書き込み処理の一例を示すフローチャート。
【図６】本発明の実施形態にしたがったメッセージ通信システムによるメッセージ読み出し処理の一例を示すフローチャート。
【符号の説明】
【００５８】
１…物理オブジェクト、２…利用者端末装置、３…データ管理サーバ、１１…メッセージ書き込み用タグ、１２…メッセージ読み出し用タグ、２１…物理オブジェクトインタフェース部、２２…メッセージ作成部、２３…メッセージ提示部、２４，３１…通信部、２５…読み取り部、２６…復号部、２７…第１送信部、２８…第２送信部、３２…メッセージ管理部、３３…メッセージ書き込み部、３４…メッセージ読み出し部、３５…メッセージ消去部、３６…メッセージ登録時刻管理部、３７…記憶装置、３８…受信部、３９…送信部。
【図１】
2008225892.tif 000003
【図２】
2008225892.tif 000004
【図３】
2008225892.tif 000005
【図４】
2008225892.tif 000006
【図５】
2008225892.tif 000007
【図６】
2008225892.tif 000008